(57)【要約】【課題】屋上緑化に適し、ガーデニングを楽しむことができる屋上付きユニットハウスを提供する。【解決手段】ユニットハウス１１が骨組材１４を有している。屋上構造物１２が、ユニットハウス１１の屋上に着脱可能に設けられ、土台材１５と排水管１７と床構造１６とフェンス１８とを一体的に有している。土台材１５は、骨組材１４の上に着脱可能に取り付けられている。排水管１７は、土台材１５に取り付けられている。床構造１６は、土台材１５の上に固定され、排水管１７に連通する排水口１６ｂと、排水口１６ｂに向かって下がるよう傾斜した防水性の床面１６ａとを有している。フェンス１８は、床構造１６の周囲を取り囲むよう土台材１５に固定されている。昇降手段１３が、屋上構造物１２の上へ昇降可能に設けられている。【選択図】図１
0003106849.tif 000002
【実用新案登録請求の範囲】
【請求項１】
ユニットハウスと、
前記ユニットハウスの屋上に着脱可能に設けられた、床構造およびフェンスを一体化した屋上構造物と、
前記屋上構造物の上へ昇降するための昇降手段とを、
有することを特徴とする屋上付きユニットハウス。
【請求項２】
前記ユニットハウスは骨組材を有し、
前記屋上構造物は、前記骨組材の上に着脱可能に取り付けられた土台材と、前記土台材に取り付けられた排水管とを有し、
前記床構造は、前記土台材の上に固定され、前記排水管に連通する排水口と、前記排水口に向かって下がるよう傾斜した防水性の床面とを有し、
前記フェンスは、前記床構造の周囲を取り囲むよう前記土台材に固定されていることを、
特徴とする請求項１記載の屋上付きユニットハウス。
【考案の詳細な説明】
【技術分野】
【０００１】
本考案は、屋上付きユニットハウスに関する。
【背景技術】
【０００２】
一般に、ユニットハウスは、移動や設置が容易であることから、一般家庭の庭に置いて別棟の部屋や物置として、あるいは工事現場の仮設事務所として利用されている。このようなユニットハウスにおいて、限られたスペースを有効に活用できるものとして、２階建てのユニットハウス（特許文献１参照）が開発されている。
【０００３】
【特許文献１】特開平６−１２９００９号公報
【考案の開示】
【考案が解決しようとする課題】
【０００４】
ところで、近年、都市部の気温が周辺部より高くなるヒートアイランド現象が問題化し、その対策として建物の屋上の緑化が推奨されている。また、植物によるいやし効果が注目され、ガーデニングが人気を博している。しかしながら、従来のユニットハウスには、屋上緑化に適したものはなく、また、ガーデニングを楽しめるものもなかった。
【０００５】
本考案は、このような従来の課題に着目してなされたもので、屋上緑化に適し、ガーデニングを楽しむことができる屋上付きユニットハウスを提供することを目的とする。
【課題を解決するための手段】
【０００６】
上記目的を達成するために、本考案に係る屋上付きユニットハウスは、ユニットハウスと、前記ユニットハウスの屋上に着脱可能に設けられた、床構造およびフェンスを一体化した屋上構造物と、前記屋上構造物の上へ昇降するための昇降手段とを、有することを特徴とする。
【０００７】
本考案に係る屋上付きユニットハウスは、屋上構造物が床構造およびフェンスを一体化してあるため、そのままトラックなどに積んで、運搬することができる。また、屋上構造物がユニットハウスの屋上に着脱可能に設けられているため、ユニットハウスと屋上構造物とに分けて運搬した後、ユニットハウスの屋上への屋上構造物の設置、撤去を容易に行うことができる。
【０００８】
本考案に係る屋上付きユニットハウスは、屋上緑化に適しており、屋上構造物の上に屋上庭園を造ってガーデニングを楽しむことができる。さらに、屋上構造物の上のスペースは、例えば、ルーフデッキ、休憩所、屋外ダイニング、ビアガーデン、プールなど様々な用途に利用することができる。
【０００９】
本考案に係る屋上付きユニットハウスで、前記ユニットハウスは骨組材を有し、前記屋上構造物は、前記骨組材の上に着脱可能に取り付けられた土台材と、前記土台材に取り付けられた排水管とを有し、前記床構造は、前記土台材の上に固定され、前記排水管に連通する排水口と、前記排水口に向かって下がるよう傾斜した防水性の床面とを有し、前記フェンスは、前記床構造の周囲を取り囲むよう前記土台材に固定されていることが好ましい。
【００１０】
この構成では、屋上構造物の土台材がユニットハウスの骨組材の上に取り付けられ、構造が強固になっている。屋上構造物は、排水管が土台材に取り付けられ、床構造およびフェンスが土台材に固定されて一体化されている。水やりの水や雨水は防水性の床面の上で排水口に向かって流れ、排水口から排水管を通って排水される。このように、屋上構造物の上は水はけが良いため、屋上庭園を造るのに適している。
【考案の効果】
【００１１】
本考案によれば、屋上緑化に適し、ガーデニングを楽しむことができる屋上付きユニットハウスを提供することができる。
【考案を実施するための最良の形態】
【００１２】
以下、図面に基づき本考案の実施の形態について説明する。
図１乃至図４は、本考案の実施の形態の屋上付きユニットハウスを示している。
図１に示すように、屋上付きユニットハウス１０は、ユニットハウス１１と屋上構造物１２と昇降手段１３とを有している。
【００１３】
ユニットハウス１１は、ほぼ直方体形状の一般的なユニットハウス１１から成る。図３および図４に示すように、ユニットハウス１１は、柱材１４ａと梁材１４ｂとから成る骨組材１４に床材、壁材、天井材等を固定して構成されている。
図２乃至図４に示すように、屋上構造物１２は、ユニットハウス１１の屋上に着脱可能に設けられ、土台材１５と床構造１６と排水管１７とフェンス１８とを一体的に有している。
【００１４】
図３および図４に示すように、土台材１５は、枠材１５ａと８本の連結材１５ｂと縁取り材１５ｃとを有している。枠材１５ａは、ユニットハウス１１の屋根の外周と同じ大きさの矩形の枠状に形成されている。各連結材１５ｂは、枠材１５ａの長さ方向に沿った部分に、片側に４つずつ等間隔に設けられている。各連結材１５ｂは、枠材１５ａから下方に突出し、骨組材１４の柱材１４ａに着脱可能に嵌合している。縁取り材１５ｃは、枠材１５ａの上にその周縁に沿って設けられている。
【００１５】
床構造１６は、２枚の木製板を貼り合わせて成り、枠材１５ａの内側を覆うよう設けられている。床構造１６は、枠材１５ａおよび縁取り材１５ｃに固定され、床構造１６の床面１６ａには、防水シートが貼り付けられている。床構造１６は、幅方向の中央部に、長さ方向に沿って等間隔に４つの排水口１６ｂを有している。床構造１６は、床面１６ａが排水口１６ｂに向かって下がるよう傾斜している。
【００１６】
図２乃至図４に示すように、排水管１７は、各排水口１６ｂに沿って床構造１６の下部に設けられ、各排水口１６ｂに連通している。排水管１７は、枠材１５ａおよび床構造１６に固定されている。排水管１７は、一端に向かって傾斜し、その一端が枠材１５ａの外側に突出して、ユニットハウス１１の外部に設けられた雨水タンク（図示せず）に連通している。
【００１７】
フェンス１８は、木製のラティスフェンスから成り、屋上構造物１２の昇降手段接続箇所を除いて、床構造１６を取り囲むよう設けられている。フェンス１８は、枠材１５ａおよび縁取り材１５ｃの外側に固定されている。
【００１８】
図１および図２に示すように、昇降手段１３は、鉄製の直階段から成り、階段上部に踊り場１９を有している。昇降手段１３は、下端が地上に設置され、踊り場１９が屋上構造物１２の昇降手段接続箇所に接続されている。昇降手段１３には、落下防止用の手すり２０が取り付けられている。昇降手段１３により、地上から屋上構造物１２の上へ昇降可能となっている。
【００１９】
次に、作用について説明する。
屋上付きユニットハウス１０は、屋上構造物１２が土台材１５、床構造１６、排水管１７およびフェンス１８を一体化してあるため、そのままトラックなどに積んで、運搬することができる。また、屋上構造物１２がユニットハウス１１の屋上に着脱可能に設けられているため、ユニットハウス１１と屋上構造物１２とに分けて運搬した後、ユニットハウス１１の屋上への屋上構造物１２の設置、撤去を容易に行うことができる。屋上構造物１２の土台材１５は、ユニットハウス１１の骨組材１４の上に取り付けられており、構造が強固になっている。
【００２０】
屋上付きユニットハウス１０では、水やりの水や雨水は防水性の床面１６ａの上で排水口１６ｂに向かって流れ、排水口１６ｂから排水管１７を通って排水される。このように、屋上構造物１２の上は水はけが良いため、図１に示すように、屋上庭園を造るのに適しており、ガーデニングを楽しむことができる。この場合、例えば図３および図４に示すように、屋上構造物１２の床面１６ａの上に、軽石やパーライトなどから成る排水層１を設け、排水層１の上に黒土や培養土などから成る土壌層２を設ける。このとき、屋上構造物１２から土が落ちないよう、土壌層２の表面を縁取り材１５ｃの上端より低く設ける。また、排水層１と土壌層２とが混ざらないよう、層間に不織布３を設ける。これにより、図１に示すように、土壌層２に植物４を植えたり、ベンチ５を置いたり、レンガやウッドパネル６を敷いたりして、ガーデニングを楽しむことができる。また、屋上構造物１２の上に水道や散水栓７を取り付けることもできる。
屋上構造物１２の上のスペースは、屋上庭園の他にも、例えば、ルーフデッキ、休憩所、屋外ダイニング、ビアガーデン、プールなど様々な用途に利用することができる。
【図面の簡単な説明】
【００２１】
【図１】本考案の実施の形態の屋上付きユニットハウスを示す斜視図である。
【図２】図１に示す屋上付きユニットハウスの屋上構造物および昇降手段を示す平面図である。
【図３】図２に示す屋上付きユニットハウスの屋上構造物を示すＡ−Ａ断面図である。
【図４】図２に示す屋上付きユニットハウスの屋上構造物を示すＢ−Ｂ断面図である。
【符号の説明】
【００２２】
１    排水層
２    土壌層
３    不織布
１０  屋上付きユニットハウス
１１  ユニットハウス
１２  屋上構造物
１３  昇降手段
１４  骨組材
１４ａ  柱材
１４ｂ  梁材
１５  土台材
１５ａ  枠材
１５ｂ  連結材
１５ｃ  縁取り材
１６  床構造
１６ａ  床面
１６ｂ  排水口
１７  排水管
１８  フェンス
１９  踊り場
２０  手すり
【図２】
0003106849.tif 000003
【図３】
0003106849.tif 000004
【図４】
0003106849.tif 000005
【図１】
0003106849.tif 000006